(57)【要約】【課題】  廃棄することなく用いることが可能であるとともに、束崩れを防止することが可能な結束部材を提供する。【解決手段】  結束部材１１は、ゴム又は合成樹脂製であって、所定の間隔をあけて対向する一端１２と他端１３とを有しており、略Ｃ字状の帯板となる形状に形成されている。また、結束部材１１は、その一端１２と他端１３との間隔が広げられて変形すると元の状態に復帰しようとする力が生じるように形成されている。結束部材１１は、一端１２と他端１３との間隔を広げてその内側に電線束３を差し込むようにすると、電線束３に対する取り付けが完了し、束巻き電線１４が形成される。【選択図】    図１
2005239248.tif 000002
【特許請求の範囲】
【請求項１】
円筒形状に巻き付けてなる電線束を結束するために一又は複数用いられる結束部材であって、
所定の間隔をあけて対向する一端と他端とを有するとともに、前記間隔を広げて変形させると元の状態に復帰しようとする力が生じる略Ｃ字状の形状に形成してなる
ことを特徴とする結束部材。
【請求項２】
請求項１に記載の結束部材において、
前記間隔の広がりを規制する間隔規制手段を設ける
ことを特徴とする結束部材。
【発明の詳細な説明】
【技術分野】
【０００１】
本発明は、電線束を結束するために用いられる結束部材に関する。
【背景技術】
【０００２】
家、ビルディング、工場等の配線にＩＶ電線やＶＶＦ電線が使用されている。これらの電線は、保管、搬送、使用時の取り扱いの容易さ等から、一般に円筒形状に巻き付けられて束ねられた束巻き電線として使用されている。
【０００３】
従来の束巻き電線１は、図５に示されるように、電線２を円筒形状に巻き付けて束ねることにより形成される電線束３と、その電線束３を結束するために電線束３の適宜箇所（通常２箇所ないし４箇所）に巻き付けられる結束バンド（プラスチックバンド）４、４と、保管や運搬時における電線束３の保護や束崩れ（束形状の崩れ）を防止するために、結束バンド４、４により結束された電線束３を被覆包装する熱収縮フィルム５とを備えて構成されている（例えば特許文献１参照）。熱収縮フィルム５は、電線束３の円筒内周面以外を包被するようになっている。
【０００４】
上記構成において、束巻き電線１から電線２を引き出す場合には、熱収縮フィルム５を電線束３に包被したままの状態で結束バンド４、４を切断する。すなわち、結束バンド４、４による結束状態を解除する。これにより、電線束３の円筒内周面側から電線２を引き出すことが可能になる。
【０００５】
尚、結束バンド４の代わりに紐を用いる場合もある。また、熱収縮フィルム５の代わりに包装紙を用いる場合もある。
【特許文献１】特開２００２−１０９９６２号公報  （第２頁、第６図）
【発明の開示】
【発明が解決しようとする課題】
【０００６】
ところで、上記従来技術にあっては、結束バンド４、４を切断した後、その結束バンド４、４が不要になることから、ゴミとして扱われる。また、束巻き電線１の使用後には、熱収縮フィルム５も不要になることから、これもゴミとして扱われる。その他、結束バンド４、４を切断すると、電線２の引き出しとなる延線時に束崩れが生じてしまう恐れがある。束崩れが生じると、その後の運搬や保管に影響を来してしまうことになる。
【０００７】
本発明は、上述した事情に鑑みてなされるもので、廃棄することなく用いることが可能であるとともに、束崩れを防止することが可能な結束部材を提供することを課題とする。
【課題を解決するための手段】
【０００８】
上記課題を解決するためなされた請求項１記載の本発明の結束部材は、円筒形状に巻き付けてなる電線束を結束するために一又は複数用いられる結束部材であって、所定の間隔をあけて対向する一端と他端とを有するとともに、前記間隔を広げて変形させると元の状態に復帰しようとする力が生じる略Ｃ字状の形状に形成してなることを特徴としている。
【０００９】
本発明の結束部材は、その一端と他端との間隔を広げて内側に電線束を差し込むようにすれば電線束に対する取り付けが完了する。延線時には、結束部材の一端と他端との間から電線を引き出せばよい。本発明の結束部材は、取り付け向きによって電線束の内側、外側のいずれからでも電線の引き出しが可能になる。すなわち、結束部材の一端と他端との位置を電線束の内側として取り付けをすれば、電線束の内側から電線の引き出しが可能になる。また、結束部材の一端と他端との位置を電線束の外側として取り付けをすれば、電線束の外側から電線の引き出しが可能になる。本発明の結束部材は、廃棄することなく再利用が可能である。
【００１０】
請求項２記載の本発明の結束部材は、請求項１に記載の結束部材において、前記間隔の広がりを規制する間隔規制手段を設けることを特徴としている。本発明の結束部材は、間隔規制手段により一端と他端との間隔が一定に保たれる。
【発明の効果】
【００１１】
請求項１に記載された本発明によれば、延線時の束崩れを防止することができるという効果を奏する。また、残線保管時における束崩れを防止することができるという効果を奏する。さらに、廃棄することなく再利用することができるという効果を奏する。さらにまた、結束に係る作業性を向上させることができるという効果を奏する。
【００１２】
請求項２に記載された本発明によれば、束崩れをより確実に防止したまま残線保管をすることができるという効果を奏する。
【発明を実施するための最良の形態】
【００１３】
以下、図面を参照しながら説明する。
図１は本発明の結束部材の一実施の形態を示す図であり、（ａ）は結束部材の斜視図、（ｂ）及び（ｃ）は結束部材の使用例を示す束巻き電線の斜視図である。尚、従来例と同一の構成部材については同一の符号を付して詳細な説明を省略する。
【００１４】
図１（ａ）において、引用符号１１は本発明の結束部材を示している。本発明の結束部材１１は、ゴム又は合成樹脂製（例えば、ＥＰゴム、クロロプレンゴム、硬質ゴム、ポリエチレン、ポリプロピレン、ポリスチレン、ポリエステル）であって、所定の間隔をあけて対向する一端１２と他端１３とを有しており、図示のような略Ｃ字状の帯板となる形状に形成されている。また、本発明の結束部材１１は、その一端１２と他端１３との間隔が広げられて変形すると元の状態に復帰しようとする力が生じるように形成されている。
【００１５】
このような本発明の結束部材１１は、図１（ｂ）及び（ｃ）に示される束巻き電線１４を形成するために複数（一つでもよい）用いられている。図１（ｂ）においては、結束部材１１の一端１２と他端１３との位置が電線束３の内側となるように取り付けられており、電線束３の内側から電線２が引き出されるようになっている。また、図１（ｃ）においては、結束部材１１の一端１２と他端１３との位置が電線束３の外側となるように取り付けられており、電線束３の外側から電線２が引き出されるようになっている。
【００１６】
本発明の結束部材１１は、一端１２と他端１３との間隔を広げてその内側に電線束３を差し込むようにすると、電線束３に対する取り付けが完了し、束巻き電線１４が形成される。そして、この状態で保管や運搬がなされ、束崩れは結束部材１１の保持力によって防止される。延線時には、上記の如く結束部材１１の一端１２と他端１３との間から電線２を引き出せばよい。尚、延線時の束崩れは、上記と同様に結束部材１１の保持力によって防止される。また、残線保管時における束崩れも同様に結束部材１１の保持力によって防止される。本発明の結束部材１１は、上記構造であることから、廃棄することなく再利用することが可能である。また、本発明の結束部材１１は、上記構造であることから、結束に係る作業性が従来よりも向上する。
【００１７】
次に、図２を参照しながら本発明の結束部材の他の一実施の形態を説明する。図２（ａ）は間隔規制手段を有する結束部材を取り付けた直後の状態を示す束巻き電線の断面図、（ｂ）は結束部材の間隔の広がりを規制した状態を示す束巻き電線の断面図である。
【００１８】
図２において、引用符号２１は本発明の結束部材を示している。本発明の結束部材２１は、ゴム又は合成樹脂製（例えば、ＥＰゴム、クロロプレンゴム、硬質ゴム、ポリエチレン、ポリプロピレン、ポリスチレン、ポリエステル）であって、所定の間隔をあけて対向する一端２２と他端２３とを有しており、図示のような略Ｃ字状の帯板となる形状に形成されている。また、本発明の結束部材２１は、その一端２２と他端２３との間隔が広げられて変形すると元の状態に復帰しようとする力が生じるように形成されている。さらに、本発明の結束部材２１は、間隔規制手段を有している。
【００１９】
上記間隔規制手段は、一端２２と他端２３との間隔が必要以上に広がらないようにするためのものであって、本形態においては、一端２２の外側に連成される一端側フック２４と、他端２３の外側に連成される他端側フック２５と、これら一端側フック２４及び他端側フック２５に架けて固定される輪ゴム２６と備えて構成されている。
【００２０】
上記構成において、結束部材２１の一端２２と他端２３との間隔を広げてその内側に電線束３を差し込むようにすると、電線束３に対する取り付けが完了する。残線保管時又は運搬時には、輪ゴム２６を一端側フック２４及び他端側フック２５に架けて固定し、一端２２と他端２３との間隔が広がらないようにすればよい。本発明の結束部材２１によれば、輪ゴム２６の存在により、一端２２と他端２３との間から電線２が勝手に出てしまうことがないという利点も有している。
【００２１】
尚、図３に示されるように、一端２２と他端２３とを引き寄せるように輪ゴム２６を架けて固定することも可能である。輪ゴム２６の代わりとしては、紐や針金などがある。本形態においては、リサイクル性を考慮して輪ゴムを用いるものとする。
【００２２】
続いて、図４を参照しながら本発明の結束部材の更に他の一実施の形態を説明する。図４（ａ）は間隔規制手段を有する結束部材を取り付けた直後の状態を示す束巻き電線の断面図、（ｂ）は間隔規制手段を構成するバンドの正面図である。
【００２３】
図４において、引用符号３１は本発明の結束部材を示している。本発明の結束部材３１は、ゴム又は合成樹脂製（例えば、ＥＰゴム、クロロプレンゴム、硬質ゴム、ポリエチレン、ポリプロピレン、ポリスチレン、ポリエステル）であって、所定の間隔をあけて対向する一端３２と他端３３とを有しており、図示のような略Ｃ字状の帯板となる形状に形成されている。また、本発明の結束部材３１は、その一端３２と他端３３との間隔が広げられて変形すると元の状態に復帰しようとする力が生じるように形成されている。さらに、本発明の結束部材３１は、間隔規制手段を有している。
【００２４】
上記間隔規制手段は、一端３２と他端３３との間隔が必要以上に広がらないようにするためのものであって、本形態においては、一端３２の外側に突出形成される一端側係止突起３４と、他端３３の外側に突出形成される他端側係止突起３５と、これら一端側係止突起３４及び他端側係止突起３５に係止されるバンド３６と備えて構成されている。バンド３６は、例えば合成樹脂製であって、短冊片形状に形成されている。バンド３６の長手方向には、複数の係止孔３７が形成されている。
【００２５】
上記構成において、結束部材３１の一端３２と他端３３との間隔を広げてその内側に電線束３を差し込むようにすると、電線束３に対する取り付けが完了する。残線保管時又は運搬時には、バンド３６を一端側係止突起３４及び他端側係止突起３５に引っ掛けて固定し、一端３２と他端３３との間隔が広がらないようにすればよい。本発明の結束部材３１によれば、バンド３６の存在により、一端３２と他端３３との間から電線２が勝手に出てしまうことがないという利点も有している。
【００２６】
その他、本発明は本発明の主旨を変えない範囲で種々変更実施可能なことは勿論である。
【図面の簡単な説明】
【００２７】
【図１】本発明による結束部材の一実施の形態を示す図であり、（ａ）は結束部材の斜視図、（ｂ）及び（ｃ）は結束部材の使用例を示す束巻き電線の斜視図である。
【図２】本発明による結束部材の他の一実施の形態を示す図であり、（ａ）は間隔規制手段を有する結束部材を取り付けた直後の状態を示す束巻き電線の断面図、（ｂ）は結束部材の間隔の広がりを規制した状態を示す束巻き電線の断面図である。
【図３】図２（ｂ）の他の例を示す束巻き電線の断面図である。
【図４】本発明による結束部材の更に他の一実施の形態を示す図であり、（ａ）は間隔規制手段を有する結束部材を取り付けた直後の状態を示す束巻き電線の断面図、（ｂ）は間隔規制手段を構成するバンドの正面図である。
【図５】従来例の束巻き電線の斜視図である。
【符号の説明】
【００２８】
２  電線
３  電線束
１１  結束部材
１２  一端
１３  他端
１４  束巻き電線
２１  結束部材
２２  一端
２３  他端
２４  一端側フック（間隔規制手段）
２５  他端側フック（間隔規制手段）
２６  輪ゴム（間隔規制手段）
３１  結束部材
３２  一端
３３  他端
３４  一端側係止突起（間隔規制手段）
３５  他端側係止突起（間隔規制手段）
３６  バンド（間隔規制手段）
３７  係止孔
【図１】
2005239248.tif 000003
【図２】
2005239248.tif 000004
【図３】
2005239248.tif 000005
【図４】
2005239248.tif 000006
【図５】
2005239248.tif 000007